(57)【要約】【課題】水が浸入した後も継続して動作し大きな故障につながることを防ぐこと。【解決手段】液体を収容する容器１と、容器１内の液体を加熱する加熱手段２と、容器１内の液体の温度を検知する温度検知手段３と、容器１内の液体を吐出する吐出手段５と、制御手段６等を搭載する図示してない制御回路１０と、制御回路１０に水が浸入したことを検知する水浸入検知手段９を設け、水浸入検知手段９にて水が浸入したことを検知すると加熱手段２及び吐出手段５の動作を停止することにより、水が浸入した後も継続して動作し大きな故障につながることを防ぐことができる。【選択図】図１
2006288583.tif 000002
【特許請求の範囲】
【請求項１】
液体を収容する容器と、前記容器内の液体を加熱する加熱手段と、前記容器内の液体の温度を検知する温度検知手段と、前記容器内の液体を吐出する吐出手段と前記吐出手段および前記加熱手段による加熱を制御する制御手段と、前記制御手段等を搭載する制御回路と、前記制御回路もしくはその周辺への水の浸入を検知する水浸入検知手段を有し、前記水浸入検知手段にて水の浸入を検知すると、前記吐出手段および前記加熱手段の両方もしくはいずれか一方の動作を停止する構成とした電気湯沸かし器。
【請求項２】
操作手段を有し、水浸入検知手段にて水の浸入を検知すると、前記操作手段の動作を停止する構成とした請求項１に記載の電気湯沸かし器。
【請求項３】
表示手段を有し、水浸入検知手段にて水の浸入を検知すると、前記表示手段にて、水が浸入したことを表示する構成とした請求項１または２に記載の電気湯沸かし器。
【請求項４】
記憶手段を有し、水浸入検知手段にて水の浸入を検知すると、前記記憶手段に水が浸入したことを記憶する構成とした請求項１〜３のいずれか１項に記載の電気湯沸かし器。
【請求項５】
水浸入検知手段による水の浸入の有無の検知は、商用電源の供給が開始されたときのみ行う構成とした請求項１〜４のいずれか１項に記載の電気湯沸かし器。
【請求項６】
水浸入検知手段にて所定時間以上、水が浸入していることを検知すると水が浸入していることを確定する構成とした請求項１〜５のいずれか１項に記載の電気湯沸かし器。
【請求項７】
水浸入検知手段を制御回路に搭載する構成とした請求項１〜６のいずれか１項に記載の電気湯沸かし器。
【請求項８】
水の浸入を検知したことを所定の場合には、解除することができる構成とした請求項１〜７のいずれか１項に記載の電気湯沸かし器。
【発明の詳細な説明】
【技術分野】
【０００１】
本発明は、電気湯沸かし器に関するものである。
【背景技術】
【０００２】
電気湯沸かし器は水を加熱保温する機器であり、本体へ水を供給する際に流し台等で水道の蛇口より直接供給する使われ方が多く、その際に流し台に溜まった水が電気湯沸かし器本体内に浸入することがある。また機器の汚れを落とす際に、誤って水洗いされる場合がある。そのため従来の電気湯沸かし器においては、特に制御回路への水の浸水を防止する構成となっている（例えば、特許文献１参照）。
【０００３】
図９は、従来の電気湯沸かし器を示すものである。図９において、筒状のボディ１０１と、制御回路１０５は機器の動作を制御し、収納部１２０は合成樹脂等で形成され制御回路１０５を収納固定するものである。溝１２９は収納部１２０の側面に沿って下方に形成され、防水カバー１３０は開口部１３１を下方からほぼ閉塞する合成樹脂等の弾性を有する材料で形成され、外周に溝１２９に嵌合するリブ１３２を伸設する構成となっている。
【０００４】
上記の構成において、収納部１２０と防水カバー１３０の嵌合により、制御回路内に水が浸入し難い構成となっている。
【特許文献１】特開平６−１０５７４５号公報
【発明の開示】
【発明が解決しようとする課題】
【０００５】
しかしながら、前記従来の構成でも、確かに水の浸入を防ぐ構成となってはいるが、制御回路に接続するリード線等を伝って制御回路内に水が浸入してしまうことがあるという課題を有していた。
【０００６】
本発明は、前記従来の課題を解決するもので、制御回路内に水が浸入したことをいち早く検知するとともに機器の使用を停止し、大きな故障につながることを防ぐ電気湯沸かし器を提供することを目的とする。
【課題を解決するための手段】
【０００７】
前記従来の課題を解決するために、本発明の電気湯沸かし器は、水浸入検知手段を設け、制御回路もしくはその周辺で水を検知すると、吐出手段および加熱手段の両方もしくはいずれか一方の動作を停止する構成としたものである。
【０００８】
これによって、水が浸入した後も継続して動作し大きな故障につながることを防ぐことが可能となる。
【発明の効果】
【０００９】
本発明は、前記従来の課題を解決するもので、水が浸入した後も継続して動作し、大きな故障につながることを防ぐことが可能となる。
【発明を実施するための最良の形態】
【００１０】
第１の発明は、容器内の液体を加熱する加熱手段と、容器内の液体を吐出する吐出手段と吐出手段および加熱手段による加熱を制御する制御手段と、制御手段等を搭載する制御回路と、制御回路もしくはその周辺への水の浸入を検知する水浸入検知手段とを備え、前記水浸入検知手段にて水の浸入を検知すると、前記吐出手段および前記加熱手段の両方もしくはいずれか一方の動作を停止する構成としたことにより、水が浸入した後も継続して動作し大きな故障につながることを防ぐことができる。
【００１１】
第２の発明は、特に、第１の発明に、操作手段を備え、水浸入検知手段にて水の浸入を検知すると、操作手段の動作を停止する構成としたことにより、水が浸入したことを検知した場合に単に機器の動作を停止し大きな故障につながることを防ぐことができるだけでなく、使用者が機器を操作しようとしても動作せず（通常と異なり）、使用者に水が浸入していることを知らせる（気づかせる）ことができる。
【００１２】
第３の発明は、特に、第１または第２の発明に、表示手段を備え、水浸入検知手段にて水の浸入を検知すると、表示手段にて、水が浸入したことを表示する構成としたことにより、水が浸入したことを検知した場合に単に機器の動作を停止し大きな故障につながることを防ぐことができるだけでなく、表示手段にて使用者に水が浸入していることを知らせることができる。
【００１３】
第４の発明は、特に、第１の発明に、記憶手段を有し、水浸入検知手段にて水の浸入を検知すると、前記記憶手段に水が浸入したことを記憶する構成としたことにより、水が浸入したことを検知した場合に単に機器の動作を停止し大きな故障につながることを防ぐことができるだけでなく、商用電源を抜かれて、再度通電された場合に、通電後には水の浸入を検知していなくても、不揮発性の記憶手段に記憶された情報から、機器の動作を停止し、忘れずに水浸入の事実に応じて継続して機器の動作を停止するので大きな故障につながることを防ぐことができる。
【００１４】
第５の発明は、特に、第１〜４のいずれか１つの発明の水浸入検知手段による水の浸入の有無の検知を、商用電源の供給が開始されたときのみ行う構成としたことにより、水が浸入したことを検知した場合に単に機器の動作を停止し大きな故障につながることを防ぐことができるだけでなく、水浸入検知手段による電力の消費を低減することができる。
【００１５】
第６の発明は、特に、第１〜５のいずれか１つの発明の水浸入検知手段にて所定時間以上、水が浸入していることを検知すると水が浸入していることを確定する構成としたことにより、水が浸入したことを検知した場合に単に機器の動作を停止し大きな故障につながることを防ぐことができるだけでなく、水浸入検知手段のノイズ等による誤検知を防ぐことができる。
【００１６】
第７の発明は、特に、第１〜６のいずれか１つの発明の水浸入検知手段を、制御回路に搭載する構成としたことにより、水が浸入したことを検知した場合に機器の動作を停止し大きな故障につながることを防ぐことができるとともに、簡単で安価な構成で水浸入検知手段を実現することができる。
【００１７】
第８の発明は、特に、第１〜７のいずれか１つの発明の水の浸入を検知したことを、所定の場合には解除することができる構成としたことにより、水が浸入したことを検知した場合に単に機器の動作を停止し大きな故障につながることを防ぐことができるだけでなく、水の浸入を検知した後に機器の安全を確認した場合に、水の浸入を検知したことを解除し、再度、通常通り使用することができるようになる。
【００１８】
以下、本発明の実施の形態について、図面を参照にしながら説明する。なお、この実施の形態によって本発明が限定されるものではない。
【００１９】
（実施の形態１）
図１は本発明の第１の実施の形態における電気湯沸かし器の構成を示すブロック図である。
【００２０】
図１において、円筒形の容器１は液体を収容する。加熱手段２は容器１に当接した、液体の加熱もしくは保温を行い、通常は加熱用と保温用の２つ以上のヒータで構成される。加熱制御手段７は、加熱手段２への通電を制御することにより、加熱手段２のオンオフ制御を行うものであり、一般的には、リレーやトライアック等で構成される。
【００２１】
温度検知手段３は容器１に当接され、サーミスタ等々で構成される。温度検知手段３で検知した温度は、制御手段６に伝えられ、その温度が例えば約９０℃より低い場合には、制御手段６から加熱制御手段７に命令を出し加熱用の加熱ヒータ２を制御し液体の加熱を行い、温度検知手段３にて検知する温度勾配がほぼ横這いになると、容器１内の液体が沸騰したと見なし、加熱ヒータ２による加熱を終了し、制御手段６からの命令により加熱制御手段７にて保温ヒータ２による保温制御を開始する。そして液体の温度が例えば約９８℃で安定するように保温制御を行う。
【００２２】
吐出制御手段４は、スイッチ４ａ等々で構成され、吐出制御手段４をオンさせることによって吐出手段５を駆動し、容器１内の液体を外部へ吐出する。吐出手段５は容器１から外部まで液体を送り出す導水路５ａと、この導水路５ａ中にあるポンプ５ｂと、このポンプ５ｂを駆動させるモーター５ｃにて構成されている。
【００２３】
表示手段８は温度検知手段３にて検知した容器１内の温度や、加熱制御手段７による加熱の状態や加熱保温の設定状態または後述する水浸入検知手段９にて水が浸入したことを検知した場合にその旨を表示し、ＬＣＤやＬＥＤ等で構成される。
【００２４】
水浸入検知手段９は、後述する制御回路１０への水の浸入を検知するものであり、水の浸入を検知するための金属製の検知部９ａ等で構成される。
【００２５】
図２は本実施の形態の電気湯沸かし器の構成図である。
【００２６】
図２において、制御回路１０は制御手段６や加熱制御手段７、吐出制御手段４を有する。検知部９ａは水浸入検知手段９を成し、制御回路１０上に配置される構成となっており、２本の棒状の金属で構成されている。
【００２７】
図３は本実施の形態の電気湯沸かし器の回路図である。
【００２８】
図３において、商用電源１３から電源を供給しする。加熱手段２は、容器１内の液体を加熱する第一の発熱体２ａと、第一の発熱体２ａよりも発熱量が少なく容器１内の液体を加熱保温する第二の発熱体２ｂで構成され、加熱制御手段７は、加熱手段２と直列に接続されたリレー接点７ａ、７ｂと、このリレー接点７ａ、７ｂの制御を行うリレーコイル７ｃ、７ｄで構成され、このリレーコイル７ｃ、７ｄに電流を流すことにより、リレー接点７ａ、７ｂを閉じるようになっている。温度検知手段３は、温度を抵抗値に変換するサーミスタ３ａと分圧用抵抗３ｂとで分圧値を作る。ここで、容器１内の液体が対流する際や液体が沸騰前に発生しやすい気泡の破裂などによるサーミスタ３ａの検知の揺らぎや、電気的外来ノイズを吸収するために、充放電用の抵抗３ｄと電解コンデンサ３ｅを備え、これらのポートの出力を、後述する制御手段６をなすマイクロコンピュータ６ａ（以後、マイコンと略す）にて温度を検出するタイミングに応じて変化させ、検知温度の変化を安定して精度良く検出することができる。こうして電気的外来ノイズやサーミスタ３ａの検知の揺らぎを極力除去した分圧値をＡＤ変換器３ｃにて２進符号に変換する。ＡＤ変換器３ｃは約１０〜１３０℃の範囲を単位温度幅（本実施の形態では約０．５℃）の温度刻みにし、温度を２進符号にて出力する。そして、この２進符号が１ビット変化するのに要する時間を検知して、例えば、ある所定時間以上要していれば、容器１内の液体が沸騰状態になったため温度の上昇がほぼ横這いになったとして、加熱制御手段７にて加熱制御から保温制御に切り替えたり、また、例えば変化に要する時間がある所定時間以内であるのを連続的に検知した場合には、容器１内の液体の量が不足しているために温度が急激に上昇していると判断し、加熱制御手段７にて加熱を停止したりする。
【００２９】
図３において、吐出手段５は、モーター５ｃで構成され、吐出制御手段４はスイッチ４ａとスイッチ４ａのオンオフによって制御される第一のトランジスタ４ｂと、第一のトランジスタ４ｂに直列に接続された抵抗４ｃと、後述するマイコン６ａによってオンオフ制御される第二のトランジスタ４ｄと、マイコン６ａの出力を決定するロック解除スイッチ４ｅによって構成される。ロック解除スイッチ４ｅがオンされると、マイコン６ａは先ずその時のスイッチ４ａの状態を、このスイッチ４ａに接続されているマイコン６ａのポートの電位によって判断する。この電位が”Ｌ”となっていたらスイッチ４ａがオンされている状態なので、第二のトランジスタ４ｄをオンさせると即吐出が行われるため危険であり、このロック解除スイッチ４ｅの入力を無効にする。この電位が”Ｈ”の場合は、スイッチ４ａがオフ状態であり第二のトランジスタ４ｄをオンさせても即吐出にはならないので、マイコン６ａの出力を”Ｈ”（本実施の形態ではオープン）から”Ｌ”に変え、第二のトランジスタ４ｄをオン状態にする（この状態を以下、ロック解除状態という）。ここで、ロック状態でロック解除スイッチ４ｅを受け付け、ロック解除状態になったときの吐出量の設定は初期値（本実施の形態では、１６レベルのうちの８レベルとする）となる。
【００３０】
ロック解除状態でスイッチ４ａがオンされると、第一のトランジスタ４ｂがオンしモーター５ｃに抵抗４ｃとの分圧の電圧がかかり、スイッチ４ａがオンされている間モーター５ｃに電流が流れ、容器１内の液体が吐出される。但し、ロック解除状態でスイッチ４ａがオンされると、マイコン６ａの出力はパルス出力となり、そのオン時間は吐出量の設定に従ったものとなる。このマイコン６ａの制御により、設定された所望の吐出量の吐出を行うことが可能となる。
【００３１】
また、吐出終了後もロック解除状態が継続されるのを防ぐために、ロック解除状態でスイッチ４ａの電位が”Ｈ”状態であり、かつ後述する吐出量設定手段への入力がないことを第一の所定時間（本実施の形態では１０秒とする）継続した場合には、マイコン６ａの出力を”Ｈ”にし第二のトランジスタ４ｄをオフさせロック解除状態を解く（ロック状態に戻る）。
【００３２】
図３において、表示手段８は、ＬＣＤ８ａとＬＥＤ８ｂ、ＬＥＤ８ｃ、ＬＥＤ８ｄとＬＥＤ８ｂに直列に接続された抵抗８ｅ、ＬＥＤ８ｃに直列に接続された抵抗８ｆ、ＬＥＤ８ｄに直列に接続された抵抗８ｇによって構成され、ＬＣＤ８ａでは、常時、温度検知手段３にて検知された温度をマイコン６ａの制御により５℃刻みのデジタル表示で表示する。また、ロック解除状態では、設定されている吐出量の表示を行う構成となっている。
【００３３】
また、ＬＥＤについては、加熱手段２にて加熱動作をしているときは、抵抗８ｅに接続されたマイコン６ａのポートを“Ｌ”にすることにより、ＬＥＤ８ｂを点灯させて加熱動作中であることを表示する。そして、加熱手段２にて加熱中に温度検知手段３にて温度の上昇がほぼ横這いになったとことを検知し、加熱手段２の動作が加熱から保温に切り替わると抵抗８ｅへのマイコン６ａの出力を“Ｈ”（オープン）に切り替え、ＬＥＤ８ｂを消灯させると同時に、逆に抵抗８ｆへの出力を“Ｈ”から“Ｌ”に切り替え、ＬＥＤ８ｃを点灯させて保温状態であることを表示する。またＬＥＤ８ｄについては、前述したロック解除状態のとき、抵抗８ｇにつながるマイコン６ａの出力を“Ｌ”に切り替えて、ＬＥＤ８ｄを点灯させて出湯可能状態であることを表示する。
【００３４】
図３において、水浸入検知手段９は、検知部９ａとフォトカプラ９ｂ、第三のトランジスタ９ｃ、抵抗９ｄ、９ｅ、９ｆで構成される。検知部９ａに水が付着するとともに、第三のトランジスタにつながるマイコンの出力が“Ｌ”になると、水の抵抗により、検知部９ａの両端が導通し、第三のトランジスタのベース・エミッタ間に電位が発生し、第三のトランジスタがオンする。すると、フォトカプラ９ｂのダイオード側に電流が流れ、フォトカプラ９ｂのトランジスタ側がオンする。その結果、水の浸入が無い場合にはフォトカプラ９ｂのトランジスタ側がオフのため、フォトカプラ９ｂとつながるマイコン６ａの入力は“Ｌ（グランド）”であったのが、水の浸入によりフォトカプラ９ｂのトランジスタ側がオンした場合にはマイコン６ａへの入力が“Ｈ”となる。以上の動作により、制御回路１０への水の浸入を検知している。
【００３５】
図４は本実施の形態におけるマイコン６ａに記憶された水浸入検知の動作の部分のフローチャートを示したもので、これにより、水浸入検知の動作を説明する。
【００３６】
先ず商用電源１３に機器が接続されると、ステップｓ１で水浸入検知の動作を行う。ここで水の浸入が検知されていないと判断すると、ステップｓ２に移行し通常の動作を開始する。その後、再度、ステップｓ１に移行し水浸入検知の動作を行う。水が浸入していない場合には、ステップｓ１とステップｓ２の動作を繰り返し行う。
【００３７】
そしてステップｓ１で水が浸入していると判断した場合にはステップｓ３に移行し、水が浸入したと最初に判断してから第二の所定時間の間（本実施の形態では１０秒とする）、その状態が継続したかどうかを判断する。第二の所定時間の間、継続していなければ、水が浸入したと確定せず、ステップｓ２に戻り通常動作を行う。一方、第二の所定時間の間、継続した場合には、水が浸入したと確定し、ステップｓ４に移行する。
【００３８】
ステップｓ４では、加熱手段２および吐出手段５の動作を停止しステップｓ５に移行する。ステップｓ５にて表示手段８により水が浸入したことを知らせる表示を行い、最後にステップｓ６にて後述の操作手段１２に有する図３に図示していないスイッチ操作入力を無効にして、その状態を継続する。
【００３９】
以上の動作により、水浸入検知手段を設け、水が浸入したことを検知した場合には機器の動作を停止する構成としたことにより、水が浸入した後も継続して動作し大きな故障につながることを防ぐことができる。また、水が浸入したことを検知した場合には、操作手段１２を無効とし、表示手段８にて水が浸入したことを知らせる表示を行うことにより、使用者に水が浸入していることを知らせ、機器への通電を停止することを促すことができる。さらには水が浸入したことを検知している状態が所定の時間以上継続した場合に、水が浸入したと確定することにより、ノイズ等による誤検知を防ぐことも可能となる。
【００４０】
尚、本実施の形態では第二の所定時間を１０秒としたが、これに限るものではなく、ノイズ等による誤検知を防ぐことができるくらいの充分な時間であればよい。
【００４１】
また、本実施の形態では水浸入検知手段は制御回路１０内に構成されているが、これに限るものではなく、制御回路１０上からリード線等で接続され、制御回路１０の外部に設けることも可能である。さらに付け加えるとすれば、制御回路１０内に構成する場合には、水が浸入してきやすいリード線等が通る隙間の大きい個所の近傍に設ける方が、より検知精度が向上することは言うまでもない。
【００４２】
また、水浸入検知手段は、本実施の形態では２本の棒状の金属としたが、棒状に限る必要は無く、また導電性のものでできていれば充分である。さらには１個に限る必要は無く、複数個設けることにより、より検知精度が上がることは言うまでもない。
【００４３】
（実施の形態２）
本発明の第２の実施の形態について図５、図６及び図７を参照しながら説明する。なお、実施の形態１で説明したものと同一構成部材には同一符号を用い、その説明を省略する。
【００４４】
図５は本実施の形態における電気湯沸かし器のブロック図であり、図６は本実施の形態における電気湯沸かし器の回路図である。第１の実施の形態と異なるのは、記憶手段１１と操作手段１２が追加されている点である。記憶手段１１は、不揮発性のメモリー等で構成されている。図６において、操作手段１２は、保温温度を選択するための選択スイッチ１２ａ、保温状態でも強制的に湯沸かし動作を行うための湯沸かしスイッチ１２ｂと抵抗１２ｃ、１２ｄで構成されている。
【００４５】
図７は本実施の形態におけるマイコン６ａに記憶された水浸入検知の動作の部分のフローチャートを示したもので、これにより、水浸入検知について説明する。
【００４６】
先ず商用電源１３に機器が接続されると、ステップｓ７で過去に水の浸入を検知したことがあるかどうかを記憶手段１１にて確認する。もし、過去に水の浸入を検知したことがある場合には、通常動作を行わずそのままステップｓ４に移行する。過去に水の浸入を検知したことがなければ、ステップｓ１に移行し水浸入検知の動作を行う。ここで水の浸入が検知されていないと判断すると、ステップｓ２に移行し通常の動作を開始する。その後、再度、ステップｓ１に移行し水浸入検知の動作を行う。
【００４７】
そしてステップｓ１で水が浸入していると判断した場合にはステップｓ３に移行し、水が浸入したと最初に判断してから第二の所定時間の間（本実施の形態では１０秒とする）、その状態が継続したかどうかを判断する。第二の所定時間の間、継続した場合には、水が浸入したと確定し、ステップｓ８に移行し、水の浸入を検知したことを記憶手段１１にて記憶する。その後、ステップｓ４にて加熱手段２および吐出手段５の動作を停止し、ステップｓ５にて表示手段８により水が浸入したことを知らせる表示を行い、最後にステップｓ６にて操作手段１２を無効にして、ステップｓ９に移行する。
【００４８】
ステップｓ９では動作無効の状態を解除するための操作が操作手段１２にて行われたかどうかを判断する。解除するための操作とは、本実施の形態では通常同時に使用する必要がない選択スイッチ１２ａと湯沸かしスイッチ１２ｂが同時に押される操作である。解除するための操作が行われない間は動作無効状態を継続する。もし解除するための操作が行われると、ステップｓ１０に移行し、記憶手段１１にある水浸入を検知した記憶をリセットし、通常動作に移行する。
【００４９】
以上の動作により、記憶手段１１を設け、過去に水の浸入を検知したことがある場合にも機器の動作を停止する構成としたことにより、水が過去に浸入し、正常でないままに継続して動作し大きな故障につながることを防ぐことができる。さらに、記憶手段１１の情報から機器の故障原因を究明することも可能である。また水が浸入したと検知して動作無効状態を継続していても、その状態を解除することができる構成とすることにより、機器の安全が確認された後、通常動作に戻すことが可能となり、使い勝手を向上させることができる。
【００５０】
尚、本実施の形態では、記憶手段１１を不揮発性メモリーで構成したが、これに限るものではなく、例えばマイコンにメモリーを内蔵してもよいし、もしくは商用電源１３に接続されていないときに電力を供給するバックアップ電源を設けて、マイコンによる記憶を継続させる構成としても同様の効果が得られる。
【００５１】
また、水が検知している状態を解除する際に記憶手段１１に記憶されたものをリセットする構成としたが、必ずしも、リセットする必要は無く、例えば、水の浸入を検知した回数などの履歴を残しておいたまま復帰可能とすることもできる。
【００５２】
また、水が検知している状態を解除する操作を２つのスイッチの同時押しとしたが、これに限るものではなく通常は行う必要がない特殊な操作であればよいし、もしくは解除するための専用スイッチを設けることも可能である。
【００５３】
（実施の形態３）
本発明の第３の実施の形態について図２、図３及び図８を参照しながら説明する。なお、実施の形態１及び２で説明したものと同一構成部材には同一符号を用い、その説明を省略する。
【００５４】
図８は本実施の形態におけるマイコン６ａに記憶された水浸入検知の動作の部分のフローチャートを示したもので、これにより、水浸入検知について説明する。
【００５５】
先ず商用電源１３に機器が接続されると、ステップｓ１で水浸入検知の動作を行う。ここで水の浸入が検知されていないと判断すると、ステップｓ２に移行し通常の動作を開始し、それ以後、水浸入の検知は行わない。一方、ステップｓ１で水が浸入していると判断した場合にはステップｓ３に移行し、水が浸入したと最初に判断してから第二の所定時間の間（本実施の形態では１０秒とする）、その状態が継続したかどうかを判断する。第二の所定時間の間、継続していなければ、水が浸入したと確定せず、ステップｓ２に移行し通常動作を開始するとともに、それ以後、水浸入の検知は行わない。一方、第二の所定時間の間、継続した場合には、水が浸入したと確定し、ステップｓ４に移行する。ステップｓ４、ｓ５、ｓ６を経て動作無効状態となり、商用電源の供給が停止するまで、そのままの状態を継続する。
【００５６】
以上、通電開始時にのみ水浸入検知手段の動作を行うことにより、流し台等での水追加時の再通電後の水の浸入に対して検知することができるとともに、通電開始以後再通電までに水のかかる場合がない場合の無駄な検知を排除し消費電力を低減することができる。
【産業上の利用可能性】
【００５７】
以上のように、本発明によれば、水浸入検知手段を設けたことにより水が浸入した後も継続して動作し大きな故障につながることを防ぐことができるので、水回りの電気機器等の用途にも適用できる。
【図面の簡単な説明】
【００５８】
【図１】本発明の実施の形態１における電気湯沸かし器の構成図
【図２】本発明の実施の形態１における電気湯沸かし器の構成図
【図３】本発明の実施の形態１における電気湯沸かし器の回路図
【図４】本発明の実施の形態１における電気湯沸かし器の動作を示すフローチャート
【図５】本発明の実施の形態２における電気湯沸かし器のブロック図
【図６】本発明の実施の形態２における電気湯沸かし器の回路図
【図７】本発明の実施の形態２における電気湯沸かし器の動作を示すフローチャート
【図８】本発明の実施の形態３における電気湯沸かし器の動作を示すフローチャート
【図９】従来の電気湯沸かし器の構成を示す構成図
【符号の説明】
【００５９】
１  容器
２  加熱手段（加熱ヒータ、保温ヒータ）
３  温度検知手段
４  吐出制御手段
５  吐出手段
６  制御手段
７  加熱制御手段
８  表示手段
９  水浸入検知手段
１０  制御回路
１１  記憶手段
１２  操作手段
【図１】
2006288583.tif 000003
【図２】
2006288583.tif 000004
【図３】
2006288583.tif 000005
【図４】
2006288583.tif 000006
【図５】
2006288583.tif 000007
【図６】
2006288583.tif 000008
【図７】
2006288583.tif 000009
【図８】
2006288583.tif 000010
【図９】
2006288583.tif 000011